(57)【要約】【課題】誤って吸付いたごみを容易に取除くことができ、低騒音で掃除を行いたい場合にも安心して掃除できる使用勝手の良い電気掃除機を提供することを目的とする。【解決手段】塵埃を吸引するための電動送風機１と、塵埃を集塵する集塵室への風量を検知する風量検知手段３と、前記電動送風機１を制御する入力制御手段４と、前記風量検知手段３の出力によりこの入力制御手段４に制御信号を出力する入力演算手段６とを備え、所定時間当たりの風量検知手段３の出力変化が一定値を超える場合には、一定の制御位相角信号を前記入力演算手段６から出力することにより、入力を上昇させないように構成した。これにより、誤って吸付いた大きな紙などを容易に取除くことができ、また、低騒音で掃除を行いたい場合にも安心して掃除ができる使用勝手の良いものとなる。【選択図】図１
2006020688.tif 000002
【特許請求の範囲】
【請求項１】
塵埃を吸引するための電動送風機と、吸引した塵埃を集塵する集塵室と、この集塵室の風量を検知する風量検知手段と、前記電動送風機を制御する入力制御手段と、前記風量検知手段の出力により前記入力制御手段に制御信号を出力する入力演算手段とを備え、所定時間当たりの風量検知手段の出力変化が一定値を超える場合には、電動送風機の入力を上昇させないように制御する構成とした電気掃除機。
【請求項２】
塵埃が通過する経路に塵埃検知手段を備え、所定時間当たりの風量検知手段の出力変化が一定値を超える場合には、前記塵埃検知手段の出力が発生しても電動送風機の入力を上昇させないように制御する構成とした請求項１に記載の電気掃除機。
【請求項３】
被掃除面上の塵埃をかきだす回転ブラシを駆動する電動機を内蔵した吸込具と、この電動機を制御する電動機制御手段とを備え、所定時間当たりの風量検知手段の出力変化が一定値を超える場合には、入力演算手段から前記電動機制御手段への信号を停止するように構成した請求項１または２に記載の電気掃除機。
【請求項４】
被掃除面上の塵埃をかきだす回転ブラシを駆動する電動機を内蔵した吸込具と、この電動機を制御する電動機制御手段とを備え、所定時間当たりの風量検知手段の出力変化が一定値を超える場合には、電動機の回転数を低下するように入力演算手段から電動機制御手段への信号を出力する構成とした請求項１または２に記載の電気掃除機。
【請求項５】
塵埃を吸引するための電動送風機と、吸引した塵埃を集塵する集塵室と、この集塵室への風量を検知する風量検知手段と、前記電動送風機を制御する入力制御手段と、前記風量検知手段の出力により前記入力制御手段に制御信号を出力する入力演算手段とを備え、所定時間当たりの風量検知手段の出力変化が一定値を超える場合には、電動送風機の入力を低下させるように制御位相角信号を入力演算手段から出力する構成とした電気掃除機。
【請求項６】
所定時間当たりの風量検知手段の出力変化が一定値を超える場合の電動送風機の入力を、上昇、維持または低下のいずれの制御をさせるかを選択または設定する入力変化設定手段を設けた請求項１〜５のいずれか１項に記載の電気掃除機。
【請求項７】
所定時間当たりの風量検知手段の出力変化が一定値を超える場合には、入力変化設定手段を操作している間、または入力変化設定手段を操作して一定時間だけ、電動送風機の入力を上昇、維持または低下のいずれの制御をさせる構成とした請求項６に記載の電気掃除機。
【請求項８】
所定時間当たりの風量検知手段の出力変化が一定値を超える場合の電動機の回転数を、維持、低下または停止のいずれの制御をさせるかを選択または設定する回転数変化設定手段を設けた請求項３または４に記載の電気掃除機。
【請求項９】
所定時間当たりの風量検知手段の出力変化が一定値を超える場合には、回転数変化設定手段を操作している間、または回転数変化設定手段を操作して一定時間だけ、電動機の回転数を維持、低下または停止のいずれの制御をさせる構成とした請求項８に記載の電気掃除機。
【請求項１０】
所定時間当たりの風量検知手段の出力変化が一定値を超える場合の電動送風機の入力制御や電動機の回転数制御による吸付き防止制御を任意に設定可能とした請求項１〜９のいずれか１項に記載の電気掃除機。
【発明の詳細な説明】
【技術分野】
【０００１】
本発明は、掃除中に吸付きが発生するなど風量の急激な変化が発生した場合に対処することができる電気掃除機に関するものである。
【背景技術】
【０００２】
従来のこの種の電気掃除機としては、電動送風機に流れる電流が風量によって変化する特性を利用し、電流センサを風量検知手段として用いて、吸気経路の風量に応じて入力を自動的に変化させるものが知られている（例えば、特許文献１参照）。
【特許文献１】特許第３２８５０２８号公報
【発明の開示】
【発明が解決しようとする課題】
【０００３】
しかしながら、前記従来のように風量に応じて入力を自動的に変化させる構成では、掃除中に誤って大きな紙などを吸込むと、風量が大幅に低下してしまうため電動送風機の入力が上昇し吸付いてしまう。この吸付きのためごみを取除くことが難しくなり、あるいは夜間など低騒音で掃除を行いたい場合には「中」で掃除を行っていても大きな音を立ててしまうということがあった。
【０００４】
本発明は、前記従来の課題を解決するもので、誤って吸付いたごみを容易に取除くことができ、低騒音で掃除を行いたい場合にも安心して掃除できる使用勝手の良い電気掃除機を提供することを目的とする。
【課題を解決するための手段】
【０００５】
前記従来の課題を解決するために、本発明の電気掃除機は、塵埃を吸引するための電動送風機と、吸引した塵埃を集塵する集塵室と、この集塵室への風量を検知する風量検知手段と、前記電動送風機を制御する入力制御手段と、前記風量検知手段の出力により前記入力制御手段に制御信号を出力する入力演算手段とを備え、所定時間当たりの風量検知手段の出力変化が一定値を超える場合には、電動送風機の入力を上昇させないように制御する構成としたものである。
【０００６】
これにより、誤って吸付いた大きな紙などを容易に取除くことができ、また、低騒音で掃除を行いたい場合にも安心して掃除ができる使用勝手の良い電気掃除機とすることができる。
【発明の効果】
【０００７】
本発明の電気掃除機は、誤って吸付いた大きな紙などを容易に取除くことができ、また、低騒音で掃除を行いたい場合にも安心して掃除ができる使用勝手の良いものである。
【発明を実施するための最良の形態】
【０００８】
第１の発明は、塵埃を吸引するための電動送風機と、吸引した塵埃を集塵する集塵室と、この集塵室への風量を検知する風量検知手段と、前記電動送風機を制御する入力制御手段と、前記風量検知手段の出力により前記入力制御手段に制御信号を出力する入力演算手段とを備え、所定時間当たりの風量検知手段の出力変化が一定値を超える場合には、電動送風機の入力を上昇させないように制御する構成としたものであり、誤って吸付いた大きな紙などを容易に取除くことができ、また、低騒音で掃除を行いたい場合にも安心して掃除ができる使用勝手の良いものである。
【０００９】
第２の発明は、特に、第１の発明において、塵埃が通過する経路に塵埃検知手段を備え、所定時間当たりの風量検知手段の出力変化が一定値を超える場合には、前記塵埃検知手段の出力が発生しても電動送風機の入力を上昇させないように制御する構成としたことにより、塵埃検知手段の出力が発生しても入力を上昇させないようにすることができる。
【００１０】
第３の発明は、特に、第１または第２の発明において、被掃除面上の塵埃をかきだす回転ブラシを駆動する電動機を内蔵した吸込具と、この電動機を制御する電動機制御手段とを備え、所定時間当たりの風量検知手段の出力変化が一定値を超える場合には、入力演算手段から前記電動機制御手段への信号を停止するように構成したことにより、回転ブラシを駆動する電動機の駆動を停止できる。
【００１１】
第４の発明は、特に、第１または第２の発明において、被掃除面上の塵埃をかきだす回転ブラシを駆動する電動機を内蔵した吸込具と、この電動機を制御する電動機制御手段とを備え、所定時間当たりの風量検知手段の出力変化が一定値を超える場合には、電動機の回転数を低下するように入力演算手段から電動機制御手段への信号を出力する構成としたことにより、回転ブラシを駆動する電動機の駆動が抑制できる。
【００１２】
第５の発明は、塵埃を吸引するための電動送風機と、吸引した塵埃を集塵する集塵室と、この集塵室への風量を検知する風量検知手段と、前記電動送風機を制御する入力制御手段と、前記風量検知手段の出力により前記入力制御手段に制御信号を出力する入力演算手段とを備え、所定時間当たりの風量検知手段の出力変化が一定値を超える場合には、電動送風機の入力を低下させるように制御位相角信号を入力演算手段から出力する構成とした電気掃除機とすることにより、誤って吸付いた大きな紙などを一層容易に取除くことができ、また、低騒音で掃除を行いたい場合にもより安心して掃除ができる使用勝手の良いものである。
【００１３】
第６の発明は、特に、第１〜第５のいずれか１つの発明において、所定時間当たりの風量検知手段の出力変化が一定値を超える場合の電動送風機の入力を、上昇、維持または低下のいずれの制御をさせるかを選択または設定する入力変化設定手段を設けたことにより、使用者が任意に設定して使用することができる。
【００１４】
第７の発明は、特に、第６の発明において、所定時間当たりの風量検知手段の出力変化が一定値を超える場合には、入力変化設定手段を操作している間、または入力変化設定手段を操作して一定時間だけ、電動送風機の入力を上昇、維持または低下のいずれの制御をさせる構成としたことにより、電動送風機の入力制御を容易に行わせることができる。
【００１５】
第８の発明は、特に、第３または第４の発明において、所定時間当たりの風量検知手段の出力変化が一定値を超える場合の電動機の回転数を、維持、低下または停止のいずれの制御をさせるかを選択または設定する回転数変化設定手段を設けたことにより、使用者が任意に設定して使用することができる。
【００１６】
第９の発明は、特に、第８の発明において、所定時間当たりの風量検知手段の出力変化が一定値を超える場合には、回転数変化設定手段を操作している間、または回転数変化設定手段を操作して一定時間だけ、電動機の回転数を維持、低下または停止のいずれの制御をさせる構成としたことにより、電動機の入力制御を容易に行わせることができる。
【００１７】
第１０の発明は、特に、第１〜第９のいずれか１つの発明において、所定時間当たりの風量検知手段の出力変化が一定値を超える場合の電動送風機の入力制御や電動機の回転数制御による吸付き防止制御を任意に設定可能としたことにより、夜間など低騒音で掃除を行いたい場合に低騒音掃除を安心して行うことができる。
【００１８】
以下、本発明の実施の形態について、図面を参照しながら説明する。なお、この実施の形態により本発明が限定されるものではない。
【００１９】
（実施の形態）
図１、図３に示すように、掃除機本体１０は塵埃を吸引するための電動送風機１を内蔵しており、電動送風機１の吸引側、すなわち、前方には塵埃を集塵するための集塵室１１を設けている。掃除機本体１０の前方には集塵室１１と連通する吸気口１２を設け、この吸気口１２には、一端側に手元操作部４０を有するホース２０の他端側を接続し、手元操作部４０側には、延長管４２や、被掃除面上の塵埃をかきだす回転ブラシとこれを駆動する電動機３１などを備えた吸込具３０を接続している。前記吸込具３０、延長管４２、ホース２０、吸気口１２、集塵室１１で吸気経路を形成している。
【００２０】
また、掃除機本体１０は、集塵室１１への風量を検知する風量検知手段３、電動送風機１を制御する入力制御手段４、電動機３１に制御信号を出力する電動機制御手段５、および風量検知手段３の出力により入力制御手段４と電動機制御手段５に制御信号を出力する入力演算手段６をも内蔵している。本実施の形態では、風量検知手段３は、電流センサを用いて前記電動送風機１に流れる電流を検知している。また、入力制御手段４は双方向性サイリスタを用いており、電動機制御手段５は双方向性サイリスタを用いている。
【００２１】
被掃除面の塵埃を集塵室１１に導くホース２０の掃除機本体１０近傍には、塵埃を検知する塵埃検知手段２１を備え、入力演算手段６に出力している。また、手元操作部４０には、所定時間当たりの風量検知手段３の出力変化が一定値を超える場合、電動送風機１の入力を、上昇、維持または低下のいずれの制御をさせるかを選択または設定する入力変化設定手段２２と、所定時間当たりの風量検知手段３の出力変化が一定値を超える場合、電動機３１の回転数を、維持、低下または停止のいずれの制御をさせるかを選択または設定する回転数変化設定手段２３とを設けている。本実施の形態では、所定時間としては２秒、風量検知手段３の出力変化電圧を０．０５Ｖ（０．３ｍ3／分）に設定しているため、２秒間に０．０１ｍ3以上に相当する風量変化が発生するような場合において電動送風機１や電動機３１の動作設定を行っている。
【００２２】
以上のように構成した電気掃除機について、「強」「中」「弱」のポジションの内、「中」の場合を例にとって、以下その動作、作用を説明する。
【００２３】
図２において、集塵室１１の集塵量が少ない場合には、ａ点に示すように電動送風機１の入力を抑えている。吸気経路が大きな紙などで瞬時に塞がれた場合には、入力がａ点からｂ点に上昇するが、ここで入力変化設定手段２２にて所定時間当たりの風量検知手段３の出力変化が一定値を超える場合、電動送風機１の入力を維持させる設定とすると、入力を上昇させないような一定の制御位相角信号が入力演算手段６から入力制御手段４に出力される。このため、入力はａ点からｃ点に向かい徐々に低下していく。この時には大きな塵埃が塵埃検知手段２１を通過して塵埃検知手段２１の出力が発生しても一定の制御位相角信号を入力演算手段６から出力することにより、電動送風機１の入力を上昇させないように構成している。また、回転数変化設定手段２３にて所定時間当たりの風量検知手段３の出力変化が一定値を超える場合、電動機３１の回転数を停止させる設定とすると、入力演算手段６から電動機制御手段５への信号が停止されて電動機３１は停止する。したがって、誤って吸付いた大きなごみなどを容易に取除くことができる。また、夜間であっても安心して低騒音で掃除を行うことができる。
【００２４】
一方、入力変化設定手段２２にて所定時間当たりの風量検知手段３の出力変化が一定値を超える場合、電動送風機１の入力を低下させる設定とすると、吸付きが発生した場合には電動送風機１の入力を低下させるように制御位相信号を入力演算手段６から入力制御手段４に出力されるため、入力はａ点からｄ点に向かい急激に低下していく。この時には大きな塵埃が塵埃検知手段２１を通過しても入力の上昇幅は少ない。また、回転数変化設定手段２３にて所定時間当たりの風量検知手段３の出力変化が一定値を超える場合、電動機３１の回転数を低下させる設定とすると、電動機３１の回転数を低下させるように入力演算手段６から電動機制御手段５へ制御位相信号を出力し、電動機３１の回転数は低下する。この場合にも上記と同様に誤って吸付いた大きなごみなどを容易に取除くことができる。また、夜間であっても安心して低騒音で掃除を行うことができる。
【００２５】
なお、本実施の形態では、「中」ポジションについて説明したが、「強」ポジションなど他のポジションにも適用できることは言うまでもない。
【００２６】
また、本実施の形態では、入力変化設定手段２２や回転数変化設定手段２３をホース２０の手元操作部４０に設けて、これらを操作することにより電動送風機１の入力や電動機３１の回転数の設定を変更したが、入力変化設定手段２２や回転数変化設定手段２３を操作している間、または操作して一定時間だけ、電動送風機１の入力や電動機３１の回転数を変化するように制御してもよい。
【００２７】
さらに、本実施の形態では、入力変化設定手段２２や回転数変化設定手段２３を手元操作部４０で人手による設定としたが、風量の変化率を入力演算手段６にて演算しそれによって電動送風機１や電動機３１の制御を自動的に行ってもよい。また、所定時間当たりの風量検知手段３の出力変化が一定値を超える場合の電動送風機１の入力制御や電動機３１の回転数制御による吸付き防止制御を任意に設定可能としたことにより、夜間など低騒音で掃除を行いたい場合に低騒音掃除を安心して行うことができる。
【産業上の利用可能性】
【００２８】
以上のように、本発明にかかる電気掃除機は、誤って吸付いた大きな紙などを容易に取除くことができ、また、低騒音で掃除を行いたい場合にも安心して掃除ができる使用勝手の良いものであるので、電気掃除機の形式にとらわれず適用できる。
【図面の簡単な説明】
【００２９】
【図１】本発明の実施の形態における電気掃除機の回路構成を示すブロック図
【図２】同電気掃除機の風量−入力特性を示す図
【図３】同電気掃除機の全体構成を示す斜視図
【符号の説明】
【００３０】
１  電動送風機
３  風量検知手段
４  入力制御手段
５  電動機制御手段
６  入力演算手段
１０  掃除機本体
２０  ホース
２１  塵埃検知手段
２２  入力変化設定手段
２３  回転数変化設定手段
３０  吸込具
３１  電動機
【図１】
2006020688.tif 000003
【図２】
2006020688.tif 000004
【図３】
2006020688.tif 000005